Podtech/llm-jp-corpus-v4-ja_patent huggingface dataset:
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
下面に吸込口を有するケース体と、吸引力を発生する掃除機本体に連通し塵埃を吸い込む吸込口と、前記吸込口の前後にそれぞれ前記ケース体に対し回動可能に配置された前方フラップと後方フラップとを備え、
前記前方フラップと前記後方フラップは、ケース体の前進時と後進時に床面と接触して回動する接触回動部と、吸込口に対し移動方向前側に位置する時に前記被掃除面との間に開口を形成し、移動方向後側に位置する時に前記開口を閉じるフラップ部とを備え、前記フラップ部は、前記開口を閉じた時に、被掃除面に対し傾斜状に倒れた状態であるとともに、最下部が前記被掃除面と接触するかその近傍に位置し、
前記前方フラップは前記後方フラップより断面の面積が大きいことを特徴とする電気掃除機の吸口体およびこれを備えた電気掃除機。
【請求項２】
前記フラップ部は、前記フラップ部が開いた時に前記被掃除面の間に形成する開口を部分的に閉じる少なくとも一つ以上の凸部を有することを特徴とする請求項１に記載の電気掃除機の吸口体およびこれを備えた電気掃除機。
【請求項３】
前記凸部は、下部に被掃除面に対して略平行な面を有していることを特徴とする請求項2に記載の電気掃除機の吸口体およびこれを備えた電気掃除機。
【請求項４】
前記凸部は、前記ケース体の進行方向と平行方向に凹凸形状または傾斜形状を備えていることを特徴とする請求項2に記載の電気掃除機の吸口体およびこれを備えた電気掃除機。
【請求項５】
前記可動フラップは、前記ケース体に対して固定され回動中心となる樹脂や金属の硬質部材で形成される軸と、軟質部材で形成されることを特徴とする請求項１乃至請求項4の何れか１項に記載の電気掃除機の吸口体およびこれを備えた電気掃除機。
【請求項６】
前記可動フラップは、前記ケース体に対して固定され回動中心となる樹脂や金属の硬質部材で形成される軸とを一体化して形成される前記フラップ部と、軟質部材で形成される前記接触回動部にて構成されることを特徴とする請求項１乃至請求項5の何れか１項に記載の電気掃除機の吸口体およびこれを備えた電気掃除機。
【請求項７】
前記フラップ部は、先端に刷毛部材または軟質部材が設けられていることを特徴とする請求項１乃至請求項6の何れか１項に記載の電気掃除機の吸口体およびこれを備えた電気掃除機。
【請求項８】
前記可動フラップ部の少なくともいずれか一方には、前記可動フラップの開方向、または閉方向に時前記可動フラップを付勢する手段を備えていることを特徴とする請求項１乃至請求項7の何れか1項に記載の電気掃除機の吸口体およびこれを備えた電気掃除機。
【手続補正２】
【補正対象書類名】明細書
【補正対象項目名】０００５
【補正方法】変更
【補正の内容】
【０００５】
下面に吸込口を有するケース体と、吸引力を発生する掃除機本体に連通し塵埃を吸い込む吸込口と、前記吸込口の前後にそれぞれ前記ケース体に対し回動可能に配置された前方フラップと後方フラップとを備え、前記前方フラップと前記後方フラップは、ケース体の前進時と後進時に床面と接触して回動する接触回動部と、吸込口に対し移動方向前側に位置する時に前記被掃除面との間に開口を形成し、移動方向後側に位置する時に前記開口を閉じるフラップ部とを備え、前記フラップ部は、前記開口を閉じた時に、被掃除面に対し傾斜状に倒れた状態であるとともに、最下部が前記被掃除面と接触するかその近傍に位置し、前記前方フラップは前記後方フラップより断面の面積が大きいことを特徴とする。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
予め定められている始動条件が成立した後、開始条件が成立することにより、当否判定手段にて当否判定を行い、可変表示部にて識別情報の変動表示を開始すると共に、前記可変表示部における変動表示に対応して、演出表示部にて複数種類の演出用識別情報の変動演出を実行し、前記可変表示部に前記当否判定の特定表示結果が表示されることに基づいて遊技状態を遊技者に有利な特定遊技状態に移行させる遊技機であって、
前記変動演出は、複数種類の演出モードによる演出を実行可能な構成で、
遊技者が操作可能な操作手段の操作に応じて、前記変動演出で行われる演出内容を設定変更が可能な第１演出変更手段と、前記演出モードを設定変更が可能な第２演出変更手段と、
少なくとも前記第１演出変更手段にて設定変更されていることを条件に、前記操作手段にて所定の操作を行うことにより演出内容の設定を一括で初期設定に戻すことが可能な初期状態移行手段と
を備えたことを特徴とする遊技機。
【手続補正２】
【補正対象書類名】明細書
【補正対象項目名】０００６
【補正方法】変更
【補正の内容】
【０００６】
請求項１の発明は、予め定められている始動条件が成立した後、開始条件が成立することにより、当否判定手段にて当否判定を行い、可変表示部にて識別情報の変動表示を開始すると共に、前記可変表示部における変動表示に対応して、演出表示部にて複数種類の演出用識別情報の変動演出を実行し、前記可変表示部に前記当否判定の特定表示結果が表示されることに基づいて遊技状態を遊技者に有利な特定遊技状態に移行させる遊技機であって、
前記変動演出は、複数種類の演出モードによる演出を実行可能な構成で、
遊技者が操作可能な操作手段の操作に応じて、前記変動演出で行われる演出内容を設定変更が可能な第１演出変更手段と、前記演出モードを設定変更が可能な第２演出変更手段と、を備えたことを特徴とする。
【手続補正３】
【補正対象書類名】明細書
【補正対象項目名】００１４
【補正方法】変更
【補正の内容】
【００１４】
更に、請求項１に記載の遊技機は、少なくとも前記第１演出変更手段にて設定変更されていることを条件に、前記操作手段にて所定の操作を行うことにより演出内容の設定を一括で初期設定に戻すことが可能な初期状態移行手段を備えた構成である。
【手続補正書】
【提出日】令和3年4月9日(2021.4.9)
【手続補正１】
【補正対象書類名】明細書
【補正対象項目名】００９４
【補正方法】変更
【補正の内容】
【００９４】
制御部４は、収納ケース１０が本体部１に装着されていない場合には、ステップＳ１の処理を繰り返す。制御部４は、収納ケース１０が本体部１に装着されていないと判定される時間が所定時間以上となった場合に、収納ケース１０への収納を促すメッセージを本体部１の表示部６に表示させて、使用者に報知してもよい。
【手続補正２】
【補正対象書類名】明細書
【補正対象項目名】０１１９
【補正方法】変更
【補正の内容】
【０１１９】
（生体音測定装置１００Ａの効果）
生体音測定装置１００Ａによれば、本体部１Ａが収納ケース１０に収納された状態において、基台１１と蓋部１２の間の収納空間ＳＰ３に発音部８が配置されている。このため、生体音測定装置１００と同様に、測定感度ＳＭ１と測定感度ＳＭ２の関係が条件を満たしているか否かを高精度に判定することができる。また、収納ケース１０Ａに発音部８が設けられているため、本体部１Ａの小型化が可能になる。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
予め定められている始動条件が成立した後、開始条件が成立することにより、当否判定手段にて当否判定を行い、可変表示部にて識別情報の変動表示を開始すると共に、前記可変表示部における変動表示に対応して、演出表示部にて複数種類の演出用識別情報の変動演出を実行し、前記可変表示部に前記当否判定の特定表示結果が表示されることに基づいて遊技状態を遊技者に有利な特定遊技状態に移行させる遊技機であって、
前記変動演出は、前記特定表示結果が表示される可能性があることを演出する予告演出と、複数種類の演出モードによる演出を実行可能な構成で、
遊技者が操作可能な操作手段の操作に応じて、前記予告演出の出現率を設定変更が可能な第１演出変更手段と、前記演出モードを設定変更が可能な第２演出変更手段と、を備え、
前記第１演出変更手段にて設定された設定内容は、前記演出表示部にて設定内容の表示を行い、
前記設定内容の表示が行われている場合は、所定条件により特定表示を行い、
前記特定表示が行われている場合は、前記操作手段の操作に基づいて前記第１演出変更手段の設定内容を初期設定に戻す
ことを特徴とする遊技機。
【手続補正２】
【補正対象書類名】明細書
【補正対象項目名】０００６
【補正方法】変更
【補正の内容】
【０００６】
請求項１の発明は、予め定められている始動条件が成立した後、開始条件が成立することにより、当否判定手段にて当否判定を行い、可変表示部にて識別情報の変動表示を開始すると共に、前記可変表示部における変動表示に対応して、演出表示部にて複数種類の演出用識別情報の変動演出を実行し、前記可変表示部に前記当否判定の特定表示結果が表示されることに基づいて遊技状態を遊技者に有利な特定遊技状態に移行させる遊技機であって、
前記変動演出は、前記特定表示結果が表示される可能性があることを演出する予告演出と、複数種類の演出モードによる演出を実行可能な構成で、
遊技者が操作可能な操作手段の操作に応じて、前記予告演出の出現率を設定変更が可能な第１演出変更手段と、前記演出モードを設定変更が可能な第２演出変更手段と、を備え、
前記第１演出変更手段にて設定された設定内容は、前記演出表示部にて設定内容の表示を行う、ことを特徴とする。
【手続補正３】
【補正対象書類名】明細書
【補正対象項目名】００１４
【補正方法】変更
【補正の内容】
【００１４】
そして請求項１に記載の遊技機は、前記設定内容の表示が行われている場合は、所定条件により特定表示を行い、
前記特定表示が行われている場合は、前記操作手段の操作に基づいて前記第１演出変更手段の設定内容を初期設定に戻す構成である。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
被検眼のモーションコントラストデータにおけるプロジェクションアーチファクトを低減するための画像処理装置であって、
前記被検眼の血管構造よりも深部の位置であって、前記深さ方向における前記血管構造と前記深部の位置との距離に関する情報と、前記深部の位置におけるＯＣＴ輝度情報とを用いて、前記被検眼の深さ方向における前記モーションコントラストデータの減衰に関する減衰係数を算出する算出手段と、
前記算出された減衰係数を用いて、前記モーションコントラストデータの補正処理を実行する補正手段と、
を備えることを特徴とする画像処理装置。
【請求項２】
前記血管構造の内側のＯＣＴ輝度情報と前記血管構造の外側のＯＣＴ輝度情報との比較結果に関する情報を用いて、前記血管構造に対して前記補正処理を実行するか否かを判定する判定手段を更に備え、
前記算出手段は、前記補正処理を実行すると判定された場合に、前記減衰係数を算出することを特徴とする請求項１に記載の画像処理装置。
【請求項３】
被検眼のモーションコントラストデータにおけるプロジェクションアーチファクトを低減するための画像処理装置であって、
前記被検眼の深さ方向における前記モーションコントラストデータの減衰に関する減衰係数を用いて、前記モーションコントラストデータの補正処理を実行する補正手段と、
前記被検眼の血管構造の内側のＯＣＴ輝度情報と前記血管構造の外側のＯＣＴ輝度情報との比較結果に関する情報を用いて、前記血管構造に対して前記補正処理を実行するか否かを判定する判定手段と、
を備えることを特徴とする画像処理装置。
【請求項４】
前記判定手段は、前記血管構造の外側のＯＣＴ輝度情報が、前記血管構造の内側のＯＣＴ輝度情報よりも低い場合に、前記血管構造に対して前記補正処理を実行すると判定することを特徴とする請求項２または３に記載の画像処理装置。
【請求項５】
前記判定手段は、前記被検眼の複数の血管構造それぞれに対して前記補正処理を実行するか否かを判定することを特徴とする請求項２乃至４のいずれか１項に記載の画像処理装置。
【請求項６】
前記補正処理を実行するか否かの判定結果を示す情報を表示手段に表示させる表示制御手段を更に備えることを特徴とする請求項２乃至５のいずれか１項に記載の画像処理装置。
【請求項７】
前記表示手段の表示画面上での検者からの指示に応じて、前記補正処理を実行するか否かの判定結果が変更可能に構成されることを特徴とする請求項６に記載の画像処理装置。
【請求項８】
検者からの指示に応じて、前記算出された減衰係数を変更可能に構成されることを特徴とする請求項１乃至７のいずれか１項に記載の画像処理装置。
【請求項９】
前記モーションコントラストデータを用いて前記血管構造を特定する特定手段を更に備えることを特徴とする請求項１乃至８のいずれか１項に記載の画像処理装置。
【請求項１０】
前記被検眼の深さ方向における前記血管構造のサイズが小さくなるように、前記血管構造のサイズを補正するサイズ補正手段を更に備えることを特徴とする請求項１乃至９のいずれか１項に記載の画像処理装置。
【請求項１１】
Ｄｏｐｐｌｅｒ−ＯＣＴデータを用いて前記血管構造を特定する特定手段を更に備えることを特徴とする請求項１乃至８のいずれか１項に記載の画像処理装置。
【請求項１２】
前記ＯＣＴ輝度情報を解析することにより、前記被検眼の層境界に関する情報を取得する解析手段を更に備え、
前記算出手段は、前記位置に関する情報と、前記ＯＣＴ輝度情報と、前記層境界に関する情報とを用いて、前記減衰係数を算出することを特徴とする請求項１乃至１１のいずれか１項に記載の画像処理装置。
【請求項１３】
前記モーションコントラストデータに対して平滑化処理を実行する画像処理手段を更に備えることを特徴とする請求項１乃至１２のいずれか１項に記載の画像処理装置。
【請求項１４】
被検眼のモーションコントラストデータにおけるプロジェクションアーチファクトを低減するための画像処理方法であって、
前記被検眼の血管構造よりも深部の位置であって、前記深さ方向における前記血管構造と前記深部の位置との距離に関する情報と、前記深部の位置におけるＯＣＴ輝度情報とを用いて、前記被検眼の深さ方向における前記モーションコントラストデータの減衰に関する減衰係数を算出する工程と、
前記算出された減衰係数を用いて、前記モーションコントラストデータの補正処理を実行する工程と、
を有することを特徴とする画像処理方法。
【請求項１５】
被検眼のモーションコントラストデータにおけるプロジェクションアーチファクトを低減するための画像処理方法であって、
前記被検眼の深さ方向における前記モーションコントラストデータの減衰に関する減衰係数を用いて、前記モーションコントラストデータの補正処理を実行する工程と、
前記被検眼の血管構造の内側のＯＣＴ輝度情報と前記血管構造の外側のＯＣＴ輝度情報との比較結果に関する情報を用いて、前記血管構造に対して前記補正処理を実行するか否かを判定する工程と、
を有することを特徴とする画像処理方法。
【請求項１６】
請求項１４または１５に記載の画像処理方法をコンピュータに実行させることを特徴とするプログラム。
【手続補正２】
【補正対象書類名】明細書
【補正対象項目名】０００９
【補正方法】変更
【補正の内容】
【０００９】
開示の画像処理装置の一つは、
被検眼のモーションコントラストデータにおけるプロジェクションアーチファクトを低減するための画像処理装置であって、
前記被検眼の血管構造よりも深部の位置であって、前記深さ方向における前記血管構造と前記深部の位置との距離に関する情報と、前記深部の位置におけるＯＣＴ輝度情報とを用いて、前記被検眼の深さ方向における前記モーションコントラストデータの減衰に関する減衰係数を算出する算出手段と、
前記算出された減衰係数を用いて、前記モーションコントラストデータの補正処理を実行する補正手段と、を備える。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
ユーザの身体の部位に接触される複数の電極と、
前記部位に与えられる電気刺激強度を調整するための操作を受け付ける操作部と、
前記操作に応じて、前記複数の電極への印加電圧を離散的に変化させることにより前記部位の治療を行なう電圧制御部とを備え、
前記電圧制御部は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させ、
前記所定刺激強度を設定するための設定部をさらに備え、
前記操作部は、前記ユーザから、低刺激強度の領域、中刺激強度の領域および高刺激強度の領域のうちの最も利用頻度が高い領域の選択指示を受け付け、
前記設定部は、前記選択指示に基づいて前記所定刺激強度を設定する、電気治療器。
【請求項２】
前記電圧制御部は、
前記電気刺激強度が前記所定刺激強度に到達するまでは、前記電気刺激強度を１段階上げる操作に応じて、前記印加電圧を前記第１変化量だけ増加させ、
前記電気刺激強度が前記所定刺激強度に到達した後は、前記電気刺激強度を１段階上げる操作に応じて、前記印加電圧を前記第２変化量だけ増加させる、請求項１に記載の電気治療器。
【請求項３】
前記電圧制御部は、前記電気刺激強度の最大強度に対応する前記印加電圧の電圧値と、前記所定刺激強度に対応する前記印加電圧の電圧値とに基づいて、前記第２変化量を算出する、請求項１または２に記載の電気治療器。
【請求項４】
前記電気治療器は、低周波治療器である、請求項１〜３のいずれか１項に記載の電気治療器。
【請求項５】
前記第１変化量は、前記低周波治療器に関する所定の規格に準拠するように設定される、請求項４に記載の電気治療器。
【請求項６】
ユーザの身体の部位に接触される複数の電極を有する電気治療器と、
前記電気治療器と無線通信可能に構成された端末装置とを備え、
前記端末装置は、前記部位に与えられる電気刺激強度を調整するための操作を受け付け、前記操作を示す信号を前記電気治療器に送信し、
前記電気治療器は、
前記操作に応じて、前記複数の電極への印加電圧を離散的に変化させることにより前記部位の治療を行なう電圧制御部を含み、
前記電圧制御部は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させ、
前記電気治療器は、前記所定刺激強度を設定するための設定部をさらに含み、
前記端末装置は、前記ユーザから、低刺激強度の領域、中刺激強度の領域および高刺激強度の領域のうちの最も利用頻度が高い領域の選択指示を受け付け、前記選択指示を示す信号を前記電気治療器に送信し、
前記設定部は、前記選択指示を示す信号に基づいて前記所定刺激強度を設定する、治療システム。
【手続補正２】
【補正対象書類名】明細書
【補正対象項目名】００１７
【補正方法】変更
【補正の内容】
【００１７】
上記構成によれば、低周波治療器に関する所定の規格に準拠した電気治療器を提供することができる。
本開示の他の例では、治療システムは、ユーザの身体の部位に接触される複数の電極を有する電気治療器と、電気治療器と無線通信可能に構成された端末装置とを備える。端末装置は、部位に与えられる電気刺激強度を調整するための操作を受け付け、操作を示す信号を電気治療器に送信する。電気治療器は、操作に応じて、複数の電極への印加電圧を離散的に変化させることにより部位の治療を行なう電圧制御部を含む。電圧制御部は、電気刺激強度が所定刺激強度に到達するまでは操作に応じて印加電圧を第１変化量で変化させ、電気刺激強度が所定刺激強度に到達した後は操作に応じて印加電圧を第１変化量よりも小さい第２変化量で変化させる。
上記構成によれば、電気刺激強度を変化させる操作を行なう際のユーザの利便性を向上させることが可能となる。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正書】
【提出日】令和3年3月22日(2021.3.22)
【手続補正１】
【補正対象書類名】明細書
【補正対象項目名】０１２７
【補正方法】変更
【補正の内容】
【０１２７】
例えば、リターンヨーク６４がガントリー１８の床面や天井面に配置されたものとすることができる。これに合わせて、ビーム入射方向やＸ線発生装置用の空間を各々本発明の趣旨に沿って配置し直すことができる。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
第１の可動体および第２の可動体と、
所定の演出を実行可能な演出実行手段と、を備え、
前記演出実行手段は、
前記第１の可動体を用いた第１演出を実行可能であり、
前記第２の可動体を用いた第２演出を実行可能であり、
前記第１の可動体は、
前記第２演出の非実行時における前記第２の可動体よりも、前記第１演出の非実行時に視認し難い状態になっていることを特徴とする遊技機。
【請求項２】
請求項１に記載の遊技機であって、
前記第２演出の態様には、大態様と、当該大態様よりも前記第２の可動体の移動範囲が小さい小態様とがあり、
前記第１演出の態様には、前記第１の可動体の視認可能な部分が前記第１演出の非実行時よりも増大する態様があることを特徴とする遊技機。
【請求項３】
請求項２に記載の遊技機であって、
前記第１の可動体は、
前記第１演出の非実行時に視認できない状態になっていることを特徴とする遊技機。
【請求項４】
請求項１に記載の遊技機であって、
前記第１演出の態様には、第１大態様と、当該第１大態様よりも前記第１の可動体の移動範囲が小さい第１小態様とがあり、
前記第２演出の態様には、第２大態様と、当該第２大態様よりも前記第２の可動体の移動範囲が小さい第２小態様とがあることを特徴とする遊技機。
【手続補正２】
【補正対象書類名】明細書
【補正対象項目名】０００５
【補正方法】変更
【補正の内容】
【０００５】
本発明の遊技機は、
第１の可動体および第２の可動体と、
所定の演出を実行可能な演出実行手段と、を備え、
前記演出実行手段は、
前記第１の可動体を用いた第１演出を実行可能であり、
前記第２の可動体を用いた第２演出を実行可能であり、
前記第１の可動体は、
前記第２演出の非実行時における前記第２の可動体よりも、前記第１演出の非実行時に視認し難い状態になっていることを特徴とする。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
複数のハプティックを有する眼内レンズを眼球内に固定するための眼内レンズ固定用器具であって、
前記眼球内に張られる線状部材と、
前記複数のハプティックの各々に対応して設けられ、それぞれが前記ハプティックを保持して、前記線状部材によって前記眼球内の空間に支持される複数のハプティック保持部とを備え、
前記複数のハプティック保持部の各々には、前記線状部材が固定され、
前記ハプティック保持部は、前記ハプティックが挿入される開口を有し、該開口に挿入されたハプティックを保持する、眼内レンズ固定用器具。
【請求項２】
前記ハプティック保持部は、前記ハプティックを挿入する入口が前記開口として形成された袋状の部材である、請求項１に記載の眼内レンズ固定用器具。
【請求項３】
前記ハプティック保持部には、袋内と袋外とを連通させる連通孔が形成されている、請求項２に記載の眼内レンズ固定用器具。
【請求項４】
前記ハプティック保持部は、網状の部材により形成されている、請求項１又は２に記載の眼内レンズ固定用器具。
【請求項５】
前記ハプティック保持部は、前記線状部材の一部により構成され、又は、前記線状部材に結び付けられた１つ又は複数の輪状部であり、前記開口に相当する該輪状部の内側に挿入された前記ハプティックを保持する、請求項１に記載の眼内レンズ固定用器具。
【請求項６】
前記ハプティック保持部には、可撓性を有して、針孔を通る大きさに収縮する素材が用いられている、請求項１乃至５の何れか１つに記載の眼内レンズ固定用器具。
【請求項７】
前記複数のハプティック保持部の各々は、針が取り付けられた前記線状部材が固定されている、請求項１乃至６の何れか１つに記載の眼内レンズ固定用器具。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
第１の可動役物および第２の可動役物と、を備え 、
前記演出実行手段は、
特定演出を実行可能であり、
前記特定演出は、
前記特定の可動役物を用いた第１の態様で行われるときと、前記特定の可動役物以外の可動役物を用いた第２の態様で行われるときと、があることを特徴とする遊技機。
【請求項２】
請求項１に記載の遊技機であって、
遊技者に有利な特別遊技を実行可能な特別遊技実行手段を備え、
前記演出実行手段は、
前記特定演出の後に低期待度演出を実行可能であり、
前記低期待度演出の後に、前記低期待度演出よりも、その後に前記特別遊技が実行される可能性が高いことを示唆する高期待度演出を実行可能であり、
前記特定演出は、
前記低期待度演出が行われることを示唆可能であり、
前記第１の態様で前記特定演出が行われたときの方が、前記第２の態様で前記特定演出が行われたときよりも、前記低期待度演出の後に前記高期待度演出が行われ易いことを特徴とする遊技機。
【請求項３】
請求項２に記載の遊技機であって、
前記演出実行手段は、
前記低期待度演出の実行中に、前記高期待度演出が行われることを示唆する確定演出を実行可能であり、
前記確定演出は、
前記第１の可動役物を用いた特殊態様で行われるときがあり、
前記特定演出の前記第１の態様と前記確定演出の前記特殊態様とは、同じ又は類似であることを特徴とする遊技機。
【手続補正２】
【補正対象書類名】明細書
【補正対象項目名】０００５
【補正方法】変更
【補正の内容】
【０００５】
本発明の遊技機は、
所定の演出を実行可能な演出実行手段と、
第１の可動役物および第２の可動役物と、を備え 、
前記演出実行手段は、
特定演出を実行可能であり、
前記特定演出は、
前記特定の可動役物を用いた第１の態様で行われるときと、前記特定の可動役物以外の可動役物を用いた第２の態様で行われるときと、があることを特徴とする。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
第１の可動体および第２の可動体と、
所定の演出を実行可能な演出実行手段と、を備え、
前記演出実行手段は、
特定演出を実行可能であり、
前記特定演出の実行を示唆する可動体演出を実行可能であり、
前記可動体演出には、前記第１の可動体および前記第２の可動体のいずれか一方の可動体を作動させる単使用演出と、前記第１の可動体および前記第２の可動体の双方を作動させる複数使用演出と、があることを特徴とする遊技機。
【請求項２】
請求項１に記載の遊技機であって、
前記可動体演出の実行が、第１のタイミングで開始するときと、前記第１のタイミングよりも後の第２のタイミングで開始するときと、があり、
前記可動体演出の実行が前記第１のタイミングで開始する場合には、当該可動体演出として前記複数使用演出の実行が開始するときがあり、
前記可動体演出の実行が前記第２のタイミングで開始する場合には、当該可動体演出として前記単使用演出の実行が開始するときがあることを特徴とする遊技機。
【請求項３】
請求項２に記載の遊技機であって、
前記可動体演出には、前記単使用演出の後に前記複数使用演出が続く複合演出が含まれており、
前記可動体演出の実行が前記第１のタイミングで開始する場合には、当該可動体演出として前記複合演出の実行が開始するときと、前記複数使用演出の実行が開始するときと、があり、
前記可動体演出の実行が前記第２のタイミングで開始する場合には、当該可動体演出として前記単使用演出の実行が開始するときと、前記複数使用演出の実行が開始するときと、があることを特徴とする遊技機。
【請求項４】
請求項３に記載の遊技機であって、
遊技者に有利な特別遊技を実行可能な特別遊技実行手段を備え、
前記特定演出には、第１特定演出と、前記第１特定演出よりも、その後に前記特別遊技が実行される可能性が高いことを示唆する第２特定演出と、があり、
前記第２のタイミングで開始される前記単使用演出は、前記第１特定演出の実行を示唆し、前記第２のタイミングで開始される前記複合演出は、前記第２特定演出の実行を示唆することを特徴とする遊技機。
【手続補正２】
【補正対象書類名】明細書
【補正対象項目名】０００５
【補正方法】変更
【補正の内容】
【０００５】
本発明の遊技機は、
第１の可動体および第２の可動体と、
所定の演出を実行可能な演出実行手段と、を備え、
前記演出実行手段は、
特定演出を実行可能であり、
前記特定演出の実行を示唆する可動体演出を実行可能であり、
前記可動体演出には、前記第１の可動体および前記第２の可動体のいずれか一方の可動体を作動させる単使用演出と、前記第１の可動体および前記第２の可動体の双方を作動させる複数使用演出と、があることを特徴とする。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
第１の可動体および第２の可動体と、
所定の演出を実行可能な演出実行手段と、を備え、
前記演出実行手段は、
前記第１の可動体および前記第２の可動体のいずれか一方の可動体を用いた単使用演出を実行可能であり、
前記第１の可動体も前記第２の可動体も用いた複数使用演出を実行可能であり、
所定のタイミングに、前記単使用演出および前記複数使用演出のいずれか一方を実行可能であることを特徴とする遊技機。
【請求項２】
請求項１に記載の遊技機であって、
前記単使用演出には、前記第１の可動体を用いた第１単使用演出と、前記第２の可動体を用いた第２単使用演出とがあり、
前記演出実行手段は、
前記単使用演出を実行する場合には、当該単使用演出として前記第１単使用演出および前記第２単使用演出のいずれか一方を実行することを特徴とする遊技機。
【請求項３】
請求項２に記載の遊技機であって、
前記所定のタイミングには、第１のタイミングと第２のタイミングとがあり、
前記演出実行手段は、
前記第１のタイミングに、前記第１単使用演出および前記複数使用演出のいずれか一方を実行可能であり、
前記第２のタイミングに、前記第２単使用演出および前記複数使用演出のいずれか一方を実行可能であることを特徴とする遊技機。
【請求項４】
請求項３に記載の遊技機であって、
所定の条件の成立時に、遊技者に有利な有利遊技状態に設定可能な設定手段を備え、
前記複数使用演出は、
前記単使用演出よりも、前記有利遊技状態に設定される可能性が高いことを示唆する演出であることを特徴とする遊技機。
【請求項５】
請求項４に記載の遊技機であって、
前記第１のタイミングに前記複数使用演出が実行される場合と、前記第２のタイミングに前記複数使用演出が実行される場合とで、前記有利遊技状態に設定される確率が異なっていることを特徴とする遊技機。
【手続補正２】
【補正対象書類名】明細書
【補正対象項目名】０００５
【補正方法】変更
【補正の内容】
【０００５】
本発明の遊技機は、
第１の可動体および第２の可動体と、
所定の演出を実行可能な演出実行手段と、を備え、
前記演出実行手段は、
前記第１の可動体および前記第２の可動体のいずれか一方の可動体を用いた単使用演出を実行可能であり、
前記第１の可動体も前記第２の可動体も用いた複数使用演出を実行可能であり、
所定のタイミングに、前記単使用演出および前記複数使用演出のいずれか一方を実行可能であることを特徴とする。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
第１の可動役物および第２の可動役物と、
所定の演出を実行可能な演出実行手段と、を備え、
前記演出実行手段は、
前記第１の可動役物を用いた第１の態様で行われるときと、前記第２の可動役物を用いた第２の態様で行われるときとがある特定演出を実行可能であることを特徴とする遊技機。
【請求項２】
請求項１に記載の遊技機であって、
遊技者に有利な特別遊技を実行可能な特別遊技実行手段を備え、
前記演出実行手段は、
前記特定演出の実行後に低期待度演出を実行可能であり、
前記低期待度演出の実行後に、前記低期待度演出よりも、その後に前記特別遊技が実行される可能性が高いことを示唆する高期待度演出を実行可能であり、
前記第１の態様で前記特定演出が行われたときの方が、前記第２の態様で前記特定演出が行われたときよりも、前記低期待度演出の後に前記高期待度演出が行われ易いことを特徴とする遊技機。
【請求項３】
請求項２に記載の遊技機であって、
前記演出実行手段は、
前記高期待度演出が行われることを示唆する確定演出を実行可能であり、
前記確定演出は、
前記低期待度演出の実行中に、前記第１の可動役物を用いた特殊態様で行われるときがあり、
前記特定演出の前記第１の態様における前記第１の可動役物の動作と、前記確定演出の前記特殊態様における前記第１の可動役物の動作とが、同じ又は類似であることを特徴とする遊技機。
【手続補正２】
【補正対象書類名】明細書
【補正対象項目名】０００５
【補正方法】変更
【補正の内容】
【０００５】
本発明の遊技機は、
第１の可動役物および第２の可動役物と、
所定の演出を実行可能な演出実行手段と、を備え、
前記演出実行手段は、
前記第１の可動役物を用いた第１の態様で行われるときと、前記第２の可動役物を用いた第２の態様で行われるときとがある特定演出を実行可能であることを特徴とする。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
特定の可動役物を含む複数の可動役物と、
所定の演出を実行可能な演出実行手段と、を備え、
前記演出実行手段は、
特定演出を実行可能であり、
前記特定演出は、
前記特定の可動役物を用いた第１の態様で行われるときと、前記特定の可動役物以外の可動役物を用いた第２の態様で行われるときと、があることを特徴とする遊技機。
【請求項２】
請求項１に記載の遊技機であって、
遊技者に有利な特別遊技を実行可能な特別遊技実行手段を備え、
前記演出実行手段は、
前記特定演出の後に低期待度演出を実行可能であり、
前記低期待度演出の後に、前記低期待度演出よりも、その後に前記特別遊技が実行される可能性が高いことを示唆する高期待度演出を実行可能であり、
前記特定演出は、
前記第１の態様又は前記第２の態様で行われた場合には、前記低期待度演出が行われることを示唆し、
前記第１の態様で前記特定演出が行われたときの方が、前記第２の態様で前記特定演出が行われたときよりも、前記低期待度演出の後に前記高期待度演出が行われ易いことを特徴とする遊技機。
【請求項３】
請求項２に記載の遊技機であって、
前記演出実行手段は、
前記低期待度演出の実行中に、前記高期待度演出が行われることを示唆する確定演出を実行可能であり、
前記確定演出は、
前記特定の可動役物を用いた特殊態様で行われるときがあり、
前記第１の態様と前記特殊態様とは、同じ又は類似であることを特徴とする遊技機。
【請求項４】
請求項３に記載の遊技機であって、
前記特定演出は、
前記複数の可動役物を用いない第３の態様で行われるときがあり、
前記第３の態様で前記特定演出が行われた場合には、当該特定演出の後に前記低期待度演出が行われないことを特徴とする遊技機。
【手続補正２】
【補正対象書類名】明細書
【補正対象項目名】０００５
【補正方法】変更
【補正の内容】
【０００５】
本発明の遊技機は、
特定の可動役物を含む複数の可動役物と、
所定の演出を実行可能な演出実行手段と、を備え、
前記演出実行手段は、
特定演出を実行可能であり、
前記特定演出は、
前記特定の可動役物を用いた第１の態様で行われるときと、前記特定の可動役物以外の可動役物を用いた第２の態様で行われるときと、があることを特徴とする。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
互いに交差する上下方向と左右方向と前後方向を有し、
吸収性コアを有する吸収性本体と、
前記吸収性本体に接合された外装部材と、
を備え、胴回り開口及び一対の脚回り開口が形成されたパンツ型吸収性物品であって、
前記外装部材は、前記左右方向の中央部において、厚さ方向の肌側から非肌側に向かって、第１シート部材、第２シート部材、及び、第３シート部材が順に積層された積層部を有し、
前記第１シート部材と前記第２シート部材は、前記左右方向の中央部において、複数の溶着部によって、間欠的に溶着されて接合されており、
前記第２シート部材と前記第３シート部材との間には弾性部材が配置されているともに、前記第２シート部材と前記第３シート部材は接着剤で接合されている、
ことを特徴とするパンツ型吸収性物品。
【請求項２】
請求項１に記載のパンツ型吸収性物品であって、
前記第２シート部材の前記上下方向の長さは、前記第１シート部材の前記上下方向の長さよりも短く、
前記複数の溶着部は、少なくとも前記左右方向の一部で第２シート部材の前記上下方向の一方の端部を跨るように形成されている、
ことを特徴とするパンツ型吸収性物品。
【請求項３】
請求項２に記載のパンツ型吸収性物品であって、
前記複数の溶着部は、前記上下方向及び前記左右方向に千鳥状に配置されている
ことを特徴とするパンツ型吸収性物品。
【請求項４】
請求項１〜３の何れか１項に記載のパンツ型吸収性物品であって、
前記第１シート部材及び前記第２シート部材は、それぞれ、表面に複数の融着部を有し、
前記積層部の単位面積当たりに設けられている前記溶着部の面積の割合は、前記第１シート部材の単位面積当たりに設けられている前記融着部の面積の割合、又は、前記第２シート部材の単位面積当たりに設けられている前記融着部の面積の割合の少なくとも一方よりも小さい、
ことを特徴とするパンツ型吸収性物品。
【請求項５】
請求項１〜４の何れか１項に記載のパンツ型吸収性物品であって、
前記第１シート部材及び前記第２シート部材は、それぞれ、表面に複数の融着部を有し、
前記溶着部の１個当たりの面積は、前記第１シート部材の前記融着部の1個当たりの面積、又は、前記第２シート部材の前記融着部の1個当たりの面積の少なくとも一方よりも小さい、
ことを特徴とするパンツ型吸収性物品。
【請求項６】
請求項１〜５の何れか１項に記載のパンツ型吸収性物品であって、
前記外装部材と前記吸収性本体とが重なる領域の単位面積当たりに設けられている前記溶着部の面積の割合は、他の領域の単位面積当たりに設けられている前記溶着部の面積の割合よりも小さい、
ことを特徴とするパンツ型吸収性物品。
【請求項７】
請求項１〜６の何れか１項に記載のパンツ型吸収性物品であって、
前記弾性部材は、前記上下方向に間隔を空けて複数設けられ、  前記接着剤は、各々の前記弾性部材に塗布されており、
隣接する前記弾性部材の間には、前記第２シート部材と前記第３シート部材が前記接着剤で接合されていない部位がある、
ことを特徴とするパンツ型吸収性物品。
【請求項８】
請求項１〜７の何れか１項に記載のパンツ型吸収性物品であって、
前記外装部材は、前記胴回り開口の縁に沿った第１伸縮領域、および、前記一対の脚回り開口の縁にそれぞれ沿った一対の第２伸縮領域を備え、
前記上下方向において、前記積層部の少なくとも一部は前記第１伸縮領域と前記一対の第２伸縮領域の間に設けられている、
ことを特徴とするパンツ型吸収性物品。
【請求項９】
請求項８項に記載のパンツ型吸収性物品であって、
前記第１伸縮領域には、前記上下方向に間隔を空けて配置された複数のウエスト弾性部材が設けられており、
前記積層部において隣接する前記弾性部材の間隔は、前記第１伸縮領域において隣接する前記ウエスト弾性部材の間隔よりも大きい、
ことを特徴とするパンツ型吸収性物品。
【請求項１０】
請求項１〜９の何れか１項に記載のパンツ型吸収性物品であって、
前記外装部材は、着用者の腹側に配される前側胴回り部と、背側に配される後側胴回り部を備え、
前記積層部は、前記前側胴回り部又は前記後側胴回り部の少なくとも一方に設けられている、
ことを特徴とするパンツ型吸収性物品。
【請求項１１】
請求項１０に記載のパンツ型吸収性物品であって、
前記積層部は、前記前側胴回り部と前記後側胴回り部にそれぞれ設けられており、前記後側胴回り部の前記積層部の前記上下方向の長さが、前記前側胴回り部の前記積層部の前記上下方向の長さよりも長い、
ことを特徴とするパンツ型吸収性物品。
【請求項１２】
請求項１〜１１の何れか１項に記載のパンツ型吸収性物品であって、
前記第３シート部材は前記胴回り開口の縁で前記厚さ方向の肌側の下方に向けて折り返されており、
前記第２シート部材の前記上下方向の上端は、前記第３シート部材の折り返し部位の下端よりも上に位置している
ことを特徴とするパンツ型吸収性物品。
【請求項１３】
吸収性コアを有する吸収性本体と、前記吸収性本体に接合された外装部材と、を備え、胴回り開口及び一対の脚回り開口が形成されたパンツ型吸収性物品の製造方法であって、
第１シート部材と第２シート部材を、前記外装部材の左右方向の中央部において、複数の溶着部によって、間欠的に溶着する工程と、
前記第１シート部材とは反対側の前記第２シート部材の面と、第３シート部材との間に弾性部材を配置し、前記第２シート部材と前記第３シート部材とを接着剤で接合する工程と、
を有し、
前記外装部材の前記左右方向の中央部において、前記外装部材の厚さ方向の肌側から非肌側に向かって、第１シート部材、第２シート部材、及び、第３シート部材が順に積層された積層部を形成することを特徴とするパンツ型吸収性物品の製造方法。
【手続補正２】
【補正対象書類名】明細書
【補正対象項目名】０００６
【補正方法】変更
【補正の内容】
【０００６】
上記目的を達成するための主たる発明は、
互いに交差する上下方向と左右方向と前後方向を有し、
吸収性コアを有する吸収性本体と、
前記吸収性本体に接合された外装部材と、
を備え、胴回り開口及び一対の脚回り開口が形成されたパンツ型吸収性物品であって、
前記外装部材は、前記左右方向の中央部において、厚さ方向の肌側から非肌側に向かって、第１シート部材、第２シート部材、及び、第３シート部材が順に積層された積層部を有し、
前記第１シート部材と前記第２シート部材は、前記左右方向の中央部において、複数の溶着部によって、間欠的に溶着されて接合されており、
前記第２シート部材と前記第３シート部材との間には弾性部材が配置されているともに、前記第２シート部材と前記第３シート部材は接着剤で接合されている、
ことを特徴とするパンツ型吸収性物品である。
本発明の他の特徴については、本明細書及び添付図面の記載により明らかにする。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
商品の配送の物流側への荷主側からの依頼を受ける前における商品の当該荷主側の受注情報を、荷主端末又はベンダー端末から取得する受注情報取得手段と、
取得された前記受注情報を、前記商品の倉庫における保管のための情報を含む物流情報に変換する受注物流変換手段と、
納期、コスト、及び品質を少なくとも含むパラメータを取得するパラメータ取得手段と、
変換された前記物流情報と、当該物流情報の少なくとも一部に基づいて得られる商品の倉庫の空きスペースの利用に関する情報と、取得された前記パラメータとに基づいて、前記倉庫の空きスペースをハブとして利用するように物流計画を生成する物流計画生成手段と、
を備えるサーバとの間で通信をし、前記物流側の者が操作する情報処理装置において、
前記物流計画を前記サーバから取得する取得手段と、
前記物流計画に基づく物流実績を記録して管理し、前記サーバに提供する提供手段と、
を備える情報処理装置。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
運搬可能な重量の制限が課されている移動体が、所定のコンプライアンスの制限が課されているドライバーの運転により、納期の制限が課されている所定物品を出発地点から到着地点へ移動するまでの間で、前記所定物品以外の物品の運搬の追加を受付ける場合に、前記ドライバーにより操作される情報処理装置であって、
前記所定物品以外の物品の運搬の追加を受付けるか否かについての処理をする他情報処理装置と通信をする通信手段と、
前記所定物品を含む前記移動体が現状運搬している１以上の物品の特徴量の夫々と、当該１以上の物品の夫々の現状運搬ルートと、当該現状運搬ルートの所要予測時間とを含む現状運搬条件を、前記通信手段を介して前記他情報処理装置に送信する制御を実行する送信制御手段と、
前記他情報処理装置において、前記現状運搬情報と共に、追加予定の物品の特徴量と、当該追加予定の物品の運搬ルートを含む追加運搬条件とが取得され、前記現状運搬ルートの前記所要予測時間と、前記所定物品の前記納期の制限とに基づいて、前記追加運搬条件を加えることができる空き時間が演算され、前記空き時間と、前記所定のコンプライアンスの制限と、前記運搬可能な重量の制限との範囲内で、前記現状運搬条件に対して前記追加運搬条件を加えることができると判定された場合、前記追加予定の運搬ルートと、当該運搬ルートの所要予測時間と、前記空き時間とを、併せて表示する制御を実行する表示制御手段と、
を備える情報処理装置。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
コンピュータプログラムであって、
特定の画像処理を実行するための第１処理対応画像を少なくとも含む操作画面を表示部に表示させる第１表示機能と、
前記操作画面に含まれる前記第１処理対応画像の選択操作が行われる場合に、前記特定の画像処理を実行する画像処理機能と、
をコンピュータに実行させ、
現在の日付が第１日付に対応する場合、
前記第１表示機能は、第２日付に対応付けられた第２のテンプレート処理対応画像を含まずに、前記第１処理対応画像と、前記第１日付に対応付けられた第１のテンプレート処理対応画像と、を含む第１の操作画面を前記表示部に表示させ、
前記画像処理機能は、前記第１の操作画面に含まれる前記第１のテンプレート処理対応画像の選択操作が行われる場合に、第１のテンプレート画像を用いて形成される画像を表す画像データを生成する第１の画像処理を実行し、
前記現在の日付が前記第２日付に対応する場合、
前記第１表示機能は、前記第１のテンプレート処理対応画像を含まずに、前記第１処理対応画像と前記第２のテンプレート処理対応画像とを含む第２の操作画面を前記表示部に表示させ、
前記画像処理機能は、前記第２の操作画面に含まれる前記第２のテンプレート処理対応画像の選択操作が行われる場合に、第２のテンプレート画像を用いて形成される画像を表す画像データを生成する第２の画像処理を実行する、
コンピュータプログラム。
【請求項２】
請求項１に記載のコンピュータプログラムであって、
前記第１の画像処理は、ユーザによって指定された写真画像を前記第１のテンプレート画像に合成して形成される画像を表す前記画像データを生成する処理を含む、
コンピュータプログラム。
【請求項３】
請求項１または２に記載のコンピュータプログラムであって、
前記第１のテンプレート画像は、夏の挨拶状と、新年の挨拶状と、クリスマスの挨拶状と、ハロウィーンの挨拶状と、誕生日カードと、ビジネス文書と、のうちのいずれかのテンプレート画像である、
コンピュータプログラム。
【請求項４】
請求項３に記載のコンピュータプログラムであって、
前記第１のテンプレート画像は、新年の挨拶状のテンプレート画像であり、
前記第２のテンプレート画像は、ハロウィーンの挨拶状のテンプレート画像である、
コンピュータプログラム。
【請求項５】
請求項１から４のいずれかに記載のコンピュータプログラムであって、
前記第１のテンプレート処理対応画像は、前記第１のテンプレート画像の種類を示す文字列を含む、
コンピュータプログラム。
【請求項６】
請求項１から５のいずれかに記載のコンピュータプログラムであって、
前記第１の画像処理は、前記第１のテンプレート画像として利用可能な複数のテンプレート画像のうちのユーザによって選択された１つのテンプレート画像を用いて形成される画像を表す前記画像データを生成する処理を含む、
コンピュータプログラム。
【請求項７】
請求項６に記載のコンピュータプログラムであって、さらに、
前記第１の操作画面に含まれる前記第１のテンプレート処理対応画像の選択操作が行われる場合に、前記第１のテンプレート画像として利用可能な前記複数のテンプレート画像を表すとともに、ユーザに１つのテンプレート画像を選択させるための画面を前記表示部に表示させる第２表示機能を、コンピュータに実行させる、
コンピュータプログラム。
【請求項８】
請求項１から５のいずれかに記載のコンピュータプログラムであって、
前記第１の操作画面に含まれる前記第１のテンプレート処理対応画像の選択操作が行われる場合に、１つの第１のテンプレート画像を表すとともに、ユーザに前記１つの第１のテンプレート画像を確認させるための画面を前記表示部に表示させる第３表示機能を、コンピュータに実行させる、
コンピュータプログラム。
【請求項９】
請求項１から８のいずれかに記載のコンピュータプログラムであって、
前記特定の画像処理は、印刷実行部に印刷を実行させる処理を含み、
前記第１の画像処理は、前記第１のテンプレート画像を用いて形成される画像を表す前記画像データに基づき、前記印刷実行部に印刷を実行させる処理を含む、
コンピュータプログラム。
【請求項１０】
請求項９に記載のコンピュータプログラムであって、
前記コンピュータは、前記印刷実行部を備える画像処理装置に含まれている、
コンピュータプログラム。
【請求項１１】
画像処理装置であって、
特定の画像処理を実行するための第１処理対応画像を少なくとも含む操作画面を表示部に表示させる第１表示部と、
前記操作画面に含まれる前記第１処理対応画像の選択操作が行われる場合に、前記特定の画像処理を実行する画像処理部と、
を備え、
現在の日付が第１日付に対応する場合、
前記第１表示部は、第２日付に対応付けられた第２のテンプレート処理対応画像を含まずに、前記第１処理対応画像と、前記第１日付に対応付けられた第１のテンプレート処理対応画像と、を含む第１の操作画面を前記表示部に表示させ、
前記画像処理部は、前記第１の操作画面に含まれる前記第１のテンプレート処理対応画像の選択操作が行われる場合に、第１のテンプレート画像を用いて形成される画像を表す画像データを生成する第１の画像処理を実行し、
前記現在の日付が前記第２日付に対応する場合、
前記第１表示部は、前記第１のテンプレート処理対応画像を含まずに、前記第１処理対応画像と前記第２のテンプレート処理対応画像とを含む第２の操作画面を前記表示部に表示させ、
前記画像処理部は、前記第２の操作画面に含まれる前記第２のテンプレート処理対応画像の選択操作が行われる場合に、第２のテンプレート画像を用いて形成される画像を表す画像データを生成する第２の画像処理を実行する、
画像処理装置。